(57)【要約】【課題】作業者および建築物周辺を通行する通行人の安全を確保すると共に、メンテナンス作業自体を簡便に行うことが可能な通気制御装置を提供すること。【解決手段】建築物内の空気を外部に排出する建築物内空気排出路である小屋裏空気排出路１２４を有する本体部１０５と、小屋裏空気排出路１２４に配置された固定スリット体２０４と、これに対してスライド移動可能に設けられた移動スリット体２０６と、これに係合された熱感知形状記憶合金からなる小屋裏空気排出路１２４の流路開閉調整部である通気制御モジュール２００を有し、本体部１０５の外表面に、熱感知形状記憶合金の伸縮方向に伸びる長孔３０２が形成され、一端部が熱感知形状記憶合金に係合され、他端部が長孔３０２内でスライド可能に配設された動作確認用のスライドスライドレバー３００が配設されている。【選択図】図３
2011220027.tif 000002
【特許請求の範囲】
【請求項１】
建築物に配設して用いられる通気制御装置であって、
一端側が前記建築物の内部空間に連通すると共に、他端側が外部空間に連通して前記建築物内の空気を外部に排出する建築物内空気排出路を有する本体部と、
前記建築物内空気排出路に対し、空気の排出方向を横切る配置で取り付けられた固定スリット体と、
前記固定スリット体に対してスライド移動可能に設けられ、前記固定スリット体のスリットに対するスリット位置を変化させることにより、前記建築物内空気排出路の流通面積を増減する移動スリット体と、
前記移動スリット体に係合され、外気温の変化に応じて伸縮し、前記移動スリット体をスライド移動させる熱感知形状記憶合金と、からなる建築物内空気排出路の流路開閉調整部と、を有し、
前記本体部の外表面には、前記熱感知形状記憶合金の伸縮方向に沿って伸びる長孔が形成されていて、
一端部が前記熱感知形状記憶合金を伸縮可能に係合され、他端部が前記長孔内でスライド可能に配設された動作確認用のスライドレバーが配設されていることを特徴とする通気制御装置。
【請求項２】
前記長孔の開口面は、前記本体部の側面に向けられた状態で配設されていることを特徴とする請求項１記載の通気制御装置。
【請求項３】
前記長孔の開口面は、前記屋根の表面に向けられた状態で配設されていることを特徴とする請求項１記載の通気制御装置。
【発明の詳細な説明】
【技術分野】
【０００１】
本発明は、建築物の屋根に配設して用いる通気制御装置に関し、より詳細には、小屋裏空間からの空気を小屋裏空気流通路を介して外部に排出する際において、外気温に基づいて小屋裏空気流通路の流路面積を調整する熱感知形状記憶合金の作動状況を容易に確認することが可能な通気制御装置に関する。
【背景技術】
【０００２】
本発明者は、外気を建物内部の通気層にとり入れ、木材等の構造材の蒸れを防止し、建築物の耐久性を高め、住環境を好適に維持する通気断熱構造を備えた建築物についていくつか提案をしている。この通気断熱構造は、屋根部の空気流通層と、小屋裏空間の空気流通層とをそれぞれ別経路に形成することで、夏場等の高気温時において発生する熱成層（または温度成層）により、屋根部空気流通層からの空気のみが通気制御装置の外部に排出されることを防ぎ、夏場においても確実に小屋裏空間内の空気を排出可能にするものである（たとえば、特許文献１参照）。
【０００３】
小屋裏空間の空気は、居住部である室内に近いため、特に、外気温が低い際には小屋裏空間の空気が外部に排出されないようにする必要がある。このような小屋裏空間の空気の排出および非排出状態を切り替えるには、一般に形状記憶合金と呼ばれる熱感知形状記憶合金からなる付勢部材を用いた空気流通層の流路開閉調整部が好適に用いられている。
【特許文献１】特開２００７−３０３２２０号公報
【発明の開示】
【発明が解決しようとする課題】
【０００４】
このような熱感知形状記憶合金を用いた小屋裏空間からの小屋裏空気排出路の流路開閉調整部は、通気制御装置の本体部に内蔵されていることがほとんどであり、本体部外表面に設けられた空気流通層の排出口には虫の侵入を防止するための網体が取り付けられている。建築物の屋根のように風雨にさらされている厳しい環境下においては、例え通気制御装置の本体内部に流路開閉調整部が配設されていたとしても、流路開閉調整部の駆動源である付勢部材（特に熱感知形状記憶合金からなる付勢部材）が劣化してしまうおそれがあり、定期的な動作確認を行う等のメンテナンスが必要である。
【０００５】
このようなメンテナンスは、通気制御装置が屋根に取り付けられた状態で行わなければならないため、高所作業となり危険な作業になるといった課題がある。
先述のとおり、流路開閉調整部は通気制御装置の本体部内に配設されている。このため、流路開閉調整部の駆動源である付勢部材の動作状況を確認するためには、本体部内に収容されている流路開閉調整部を表に出して直接付勢部材を操作して確認する方法が考えられる。また、他の方法としては、本体部外表面の開口部分に取り付けられた網体のわずかな隙間部分からドライバー等の工具を差し込んで付勢部材の動作状態を確認する方法が考えられる。
これらのような付勢部材の動作状況を確認する方法では、通気制御装置を構成する部品や、メンテナンス中における使用工具の落下事故の発生が懸念され、メンテナンス中は建築物の周辺を立ち入り禁止にする必要があるなどといった課題もあることが明らかになった。
【０００６】
本発明は、建築物の屋根に取り付けた通気制御装置の小屋裏空気排出路における流路の開閉状態を切り替える流路開閉調整部の駆動源である付勢部材の作動状態を確認する際に、作業者および建築物周辺を通行する通行人の安全を確保すると共に、メンテナンス作業自体を簡便に行うことが可能な通気制御装置を提供することを目的としている。
【課題を解決するための手段】
【０００７】
以上の課題を解決すべく本発明者は鋭意研究した結果、以下の構成に想到した。
すなわち、本発明は、建築物に配設して用いられる通気制御装置であって、一端側が前記建築物の内部空間に連通すると共に、他端側が外部空間に連通して前記建築物内の空気を外部に排出する建築物内空気排出路を有する本体部と、前記建築物内空気排出路に対し、空気の排出方向を横切る配置で取り付けられた固定スリット体と、前記固定スリット体に対してスライド移動可能に設けられ、前記固定スリット体のスリットに対するスリット位置を変化させることにより、前記建築物内空気排出路の流通面積を増減する移動スリット体と、前記移動スリット体に係合され、外気温の変化に応じて伸縮し、前記移動スリット体をスライド移動させる熱感知形状記憶合金と、からなる建築物内空気排出路の流路開閉調整部と、を有し、前記本体部の外表面には、前記熱感知形状記憶合金の伸縮方向に沿って伸びる長孔が形成されていて、一端部が前記熱感知形状記憶合金を伸縮可能に係合され、他端部が前記長孔内でスライド可能に配設された動作確認用のスライドレバーが配設されていることを特徴とする通気制御装置である。
【発明の効果】
【０００８】
本発明に係る通気制御装置によれば、建築物に取り付けた通気制御装置の建築物の内部空間の空気を排出する建築物内空気排出路の流路開閉調整部の駆動源である付勢部材の作動状態の確認を行う際における作業者および周辺を通行する通行人の安全を確保することができる。また、付勢部材の作動状態の確認は、スライドレバーをスライドさせるだけの操作であるためメンテナンス作業自体を簡便に行うことが可能になる。
【図面の簡単な説明】
【０００９】
【図１】本実施の形態における通気制御装置の内部構造を示す説明図である。
【図２】図１中の矢印Ａ方向から見た通気制御モジュールの図である。
【図３】建築物内空気排出路の本体部側開口部付近の状態を示す平面図（Ａ）と、平面図（Ａ）に直交する方向から臨んだ正面図（Ｂ）である。
【発明を実施するための最良の形態】
【００１０】
以下、添付図面に基づいて本発明の実施の形態を詳細に説明する。図１は、本実施の形態における通気制御装置の内部構造を示す説明図である。図２は、図１中の矢印Ａ方向から見た通気制御モジュールの図である。図３は、建築物内空気排出路の本体部側開口部付近の状態を示す平面図（Ａ）と、平面図（Ａ）に直交する方向から臨んだ正面図（Ｂ）である。
【００１１】
本実施の形態に係る通気制御装置１００は、屋根部１０２と仕切り板１０３とエンドキャップ１０４とにより形成された本体部１０５を有している。本体部１０５は、区切部材１０６とアジャスタ部１１０を介して屋根の頂上部分（棟部分）にセットされている。本体部１０５のエンドキャップ１０４が取り付けられていない側の側面には複数の開口部１０７が形成されている。本実施形態に係る本体部１０５には、図１に示すように、左右側面のそれぞれに２箇所ずつ開口部１０７Ａ，１０７Ｂが設けられている。
本実施の形態においては、屋根部１０２が切妻型に配設されていて、本体部１０５の内部には仕切り板１０３と屋根部１０２により複数の経路（屋根部空気排出路１２２、小屋裏空気排出路１２４）が形成されている。
【００１２】
屋根の頂上部分に通気制御装置１００を配設する前に、屋根の頂上部分に区切部材１０６をセットする。本実施の形態における屋根の頂上部分は、屋根材１３０と屋根材１３０の下面側に配設された断熱材１３２との間に形成された屋根部空気流通層１３４と、屋根材１３０、断熱材１３２、屋根裏材１３６（これらを合わせて屋根ということにする）と図示しない天井材の上面側により囲まれた小屋裏空間１４０が合流する構造になっている。そこで、小屋裏空間１４０の頂上部分１４０Ａに嵌合する区切部材１０６をセットし、屋根部空気流通層１３４と小屋裏空間１４０とを区切っている。図１からも明らかなように、区切部材１０６は断面形状が凸状をなしている。区切部材１０６と断熱材１３２および屋根裏材１３６と仕切り板１０３は、それぞれ気密状態が維持されている。
【００１３】
区切部材１０６をセットした後にアジャスト部材１１０をセットする。アジャスタ部１１０は屋根材１３０の上端面に配設される。アジャスタ部１１０は、屋根材１３０の上端面に立設し、仕切り板の一部となるスペーサ１１２と、屋根材１３０の勾配状態に合わせて、エンドキャップ１０２側を気密に閉塞するシャッター部１１４により構成されている。スペーサ１１２およびシャッター部１１４の屋根材１３０と当接する部分には、屋根材１３０と、スペーサ１１２およびシャッター部１１４が気密に当接することができるようにゴム板等のシール部材（図示せず）が配設されていることが好ましい。
シャッター部１１４は回転軸１１６を介してスペーサ１１２に対して回動自在に取り付けられている。本実施の形態においては、それぞれの屋根材１３０の勾配方向に対応するように２枚のシャッター部１１４が配設されている。
【００１４】
本体部１０５の内部空間には区切部材１０６の他に仕切板１０３が配設されていて、区切部材１０６と仕切り板１０３により２つの独立した経路（屋根部空気排出路１２２、小屋裏空気排出路１２４）が形成された状態になっている。
屋根部空気排出路１２２の一端側１２２ａは屋根部空気流通層１３４に連通し、他端側１２２ｂは通気制御装置１００の側面下側にある第１開口部１０７Ａに連通している。
建築物内空気排出路である小屋裏空気排出路１２４の一端側１２４ａは小屋裏空間１４０に連通し、他端側１２４ｂは通気制御装置１００の側面上側にある第２開口部１０７Ｂに連通している。
第１開口部１０７Ａと第２開口部１０７Ｂには、建築物内部への異物の侵入を防止するための異物侵入防止ネット１５０が第１開口部１０７Ａと第２開口部１０７Ｂのそれぞれを覆うようにして配設されている。
【００１５】
小屋裏空気排出路１２４の中途部には、通気制御装置１００の内部から通気制御装置１００の外部への空気の排出を許容し、通気制御装置１００の外部から通気制御装置１００への空気の流入を遮断するための逆止弁１６０が設けられている。このような逆止弁１６０は、屋根部空気排出路１２２の中途位置に配設してもよい。
逆止弁１６０は一端側が仕切り板１２０の一部に形成されたヒンジ１６２により回動自在に支持されている。逆止弁１６０は自重により、略水平方向に倒れた状態（以下、この状態を通常状態ということがある）に配設されている。また、逆止弁１６０が閉じた際に逆止弁１６０の先端部１６４が当接する部分（仕切り板１２０の一部）には緩衝部材１６６が配設されている。本実施の形態における緩衝部材１６６は、図１に示すように逆止弁１６０の通常状態の位置から逆止弁１６０が鉛直方向に立った状態になる角度の範囲内に配設されている。
【００１６】
また、屋根部空気排出路１２２の逆止弁１６０と第１の開口部１０７Ａの間の部分と、小屋裏空気排出路１２４の逆止弁１６０と第２の開口部１０７Ｂの間の部分には、それぞれ誘導板１７０が設けられている。誘導板１７０は、通気制御装置１００の外部から流入してきた空気を、通常状態にある逆止弁１６０の閉塞用の面に対して直交する方向に吹き付けさせるためのものである。本実施の形態における誘導板１７０は、図１に示すように、円弧状に形成されている。このように誘導板１７０を円弧状に形成することにより、誘導板１７０の剛性を維持させつつ薄肉構造にすることができるので、通気制御装置１００の軽量化が可能になる。
【００１７】
小屋裏空気排出路１２４には、区切部材１０６の上方に結露水分配具１８０が配設されている。小屋裏空気排出路１２４は建築物の内部の空気が外部と接触する部分であるため、好適に通気がなされている本実施の形態にかかる建築物とはいえ、結露水が生じやすい環境にある（特に冬季、後述する通気制御モジュール２００の開口部が閉塞し、通気が非常に制限されるため）。
小屋裏空気排出路１２４で発生した結露水が小屋裏空間１４０落下すると、小屋裏空間１４０内に組み立てられている柱や梁等が蒸れて傷んでしまうおそれが高いため、結露水が小屋裏空間１４０に落下しないように結露水分配具１８０の両端部位置は、区切部材１０６の部分における経路１２４ａの開口部に配設された区切部材１０６の外端位置よりも外側位置になるように形成されている。区切部材１０６の小屋裏空気排出路１２４における開口部と仕切り板１０３との間には排水用空間１９０が形成されており、排水用空間１９０は通気制御装置１００の外部に向かって傾斜して設けられている。これにより結露水分配具１８０から排水用空間１９０に滴下した結露水は、小屋裏空間１４０に落下することなく確実に通気制御装置１００の外部に排出される。
【００１８】
小屋裏空間１４０からの空気が通気制御装置１００の外部に排出する建築物内空気排出路である小屋裏空気排出路１２４には、誘導板１７０と異物侵入防止ネット１５０との間に、流路開閉調整部である通気制御モジュール２００が配設されている。通気制御モジュール２００は、小屋裏空気排出路１２４の流路全面（空気の排出方向）を横切るようにして配設されている。このような通気制御モジュール２００を配設するのは、小屋裏空間１４０の空気が常に外部に排出される状態であると、外気温の変動に伴って建築物における居住空間の温度が大きく変化することを防ぐためである。
図２に示すように、通気制御モジュール２００は、通気孔２０２が形成された固定板２０４（固定スリット体）と、固定板２０４に対してスライド可能に取り付けられたスライド板２０６（移動スリット体）とにより構成されている。スライド板１０６は固定板２０４よりも水平方向の寸法がわずかに短く形成されている。固定板２０４の両端部分には係合片２０４Ａ，２０４Ｂが立設されている。スライド板２０６には、スライド方向に中央部分に係合片２０６Ａが立設されている。また、外気温の変化（上昇）により、熱感知形状記憶合金からなる付勢部材２０５が伸縮することによりスライド板２０６をスライドさせた際に、固定板２０４の通気孔２０２に開口部が一致する位置に形成されたスライド通気孔２０８が形成されている。通気孔２０２とスライド孔２０８の形状はそれぞれ略同じ形状に形成されている。
【００１９】
スライド板２０６を固定板２０４に対してスライドさせるスライド機構は、図２に示すように、熱感知形状記憶合金からなる付勢部材２０５と、通常の鋼材からなる付勢部材２０７とにより構成されている。
具体的には、熱感知形状記憶合金からなる付勢部材２０５とスライド板２０６と通常の鋼材からなる付勢部材２０７とが、これらの記載順にそれぞれ直列に接続されている。より詳細には、熱感知形状記憶合金からなる付勢部材２０５の一端部２０５Ａが固定板２０４の一方の係合片２０４Ａに、他端部２０５Ｂがスライド板２０６の係合片２０６Ａにそれぞれ係合される。また、通常の鋼材からなる付勢部材２０７においては、付勢部材２０７の一端部２０７Ａがスライド板２０６の係合片２０６Ａに、他端部２０７Ｂが固定板２０４の他方の係合片２０４Ｂにそれぞれ係合されている。
【００２０】
このように熱感知形状記憶合金からなる付勢部材２０５と通常の鋼材からなる付勢部材２０７を単純に直列配置に連結した構成によりスライド板２０６をスライドさせているので、スライド板２０６のスライド動作が円滑に行うことができる。また、固定板２０４に対するスライド板２０６のスライド量を大きくとることができる。さらには、通気制御モジュール２００の故障が起こりにくく、その上、通気制御モジュール２００の製造コストを抑えることができる。
本実施形態においては、スライド板２０６の係合片２０６Ａに、後述する流路開閉調整部の熱感知形状記憶合金からなる付勢部材２０５の作動状態を確認するためのスライドレバー３００が係合されている。
【００２１】
通気制御モジュール２００の固定板２０４とスライド板２０６は、夏場のように温度が上昇すると、熱感知形状記憶合金からなる付勢部材２０５の付勢力と、通常の鋼材からなる付勢部材２０７の付勢力とのバランスが崩れる。すなわち、熱感知形状記憶合金からなる付勢部材２０５または通常の鋼材からなる付勢部材２０７の一方が他方を伸ばす状態になる。これにより固定板２０４に対してスライド板２０６がスライドし、固定板２０４に形成された通気孔２０２の位置とスライド板２０６に形成されているスライド通気孔２０８の開口位置が重複し、通気制御モジュール２００に開口部分が形成され、通気制御モジュール２００からの空気の排出が許容される。
【００２２】
一方、夏が過ぎて外気温度が低下すると、熱感知形状記憶合金により形成された付勢部材２０５は付勢力が低下または喪失（若しくは付勢力が増加または発生）し、通常の鋼材により形成されている付勢部材２０７の付勢力とのバランスにより、スライド板２０６が元の位置に戻ることになる。すなわち、固定板２０４の通気孔２０２とスライド板２０６のスライド通気孔２０８との開口位置の重複が無くなり、通気制御モジュール２００としての開口部分が無くなり、通気制御モジュール２００からの空気の排出が抑制（防止）されることになる。
【００２３】
このように、屋根部空気流通層１３４からの空気と小屋裏空間１４０からの空気は、それぞれ独立した屋根部空気排出路１２２と小屋裏空気排出路１２４を通って、通気制御装置１００の外部へと排出される。以上に説明した通気制御装置１００の構成により、屋根部空気流通層１３４からの空気と小屋裏空間１４０からの空気との温度差が大きい場合であっても、熱成層（温度成層）が形成されず、小屋裏空間１４０（小屋裏空気排出路１２４）からの空気の排出が屋根部空気流通層１３４からの空気の排出により妨げられてしまうことがなく、設計どおりの空気の排出が可能になる。
【００２４】
本実施の形態においては、屋根部空気流通層１３４に通気制御モジュール２００が配設されていないため、屋根部空気流通層１３４は一年を通して開放（通気可能な）状態となり、冬季間における屋根部空気流通層１３４の結露発生を防止することができる。
具体的には、屋根部空気流通層１３４を通年開放状態にすることにより、屋根材１３９の内側面に配設される野地板（図示せず）表面の温度と、室外気温との温度差が減少し、野地板への結露発生を好適に防止することができる。
【００２５】
本実施形態における通気制御装置１００には、本体部１０５内に収容されている流路開閉調整部である通気制御モジュール２００の駆動源の作動状況の確認をする際において、本体部１０５の分解作業をすることなく行うことができる動作確認用のスライドレバー３００が設けられている。図３に示すように、本実施形態におけるスライドレバー３００は、本体部１０５の側面に開口させ、スライド板２０６の駆動源である熱感知形状記憶合金および通常の鋼材からなる付勢部材２０５，２０７の伸縮方向に伸びる長孔３０２にスライド可能な状態で配設されている。スライドレバー３００は、開口部３０２よりも大きい直方体状に形成された本体部３００Ａと、本体部３００Ａの下側面（本体部１０５内部側）に立設され、スライド板２０６の係合片２０６Ａに係合させる係合爪３００Ｂと、本体部３００Ａの上側面（外部側）に設けられたツマミ３００Ｃとを有している。
【００２６】
本体部３００Ａは長孔３０２の開口部分よりも大きく形成されているので、外気温の変化による熱感知形状記憶合金からなる付勢部材２０５の伸縮や、熱感知形状記憶合金および通常の鋼材からなる付勢部材２０５，２０７の作動状況を確認するためにツマミ３００Ｃをつまんで図中の矢印Ｚ方向に往復動させたとしても、長孔３０２は本体部３００Ａにより常時閉塞された状態になっている。これにより、本体部１０５内部への異物の侵入を防止することができる。また、本実施形態においては、係合爪３００Ｂは、スライド板２０６の係合片２０６Ａの外周面から径方向に挟み込むようにして係合片２０６Ａに遊嵌状態で係合させているが、係合爪３００Ｂにより係合片２０６Ａを係合して確実にスライドさせることができれば、他の公知の係合構造により係合させてもよいのはもちろんである。
【００２７】
流路開閉調整部である通気制御モジュール２００における駆動源である熱感知形状記憶合金および通常の鋼材からなる付勢部材２０５，２０７の作動状態の確認を行う際には、作業者が通気制御装置１００に配設位置に赴き、確認用のスライドレバー３００を長孔３０２に沿ってスライド移動させるだけでよい。熱感知形状記憶合金および通常の鋼材からなる付勢部材２０５，２０７の作動状態の良否は、スライドレバー３００をスライド移動させた際の熱感知形状記憶合金および通常の鋼材からなる付勢部材２０５，２０７による付勢力（抵抗）の大きさにより判断することができる。これにより、通気制御装置１００の本体部１０５を分解することなく流路開閉調整部の駆動源である熱感知形状記憶合金および通常の鋼材からなる付勢部材２０５，２０７の動作確認をすることができるため、高所作業時間を短縮することができ、物品を落下させてしまう等の危険の発生もないためきわめて好都合である。
【００２８】
以上に本発明にかかる通気制御装置について図面に基づいて詳細に説明してきたが、本発明は以上の実施の形態に限定されるものではなく、発明の要旨を変更しない範囲における各種の改良をしても本発明の技術的範囲に属することはいうまでもない。
例えば、本実施形態においては、本体部１０５の側面にスライドレバー３００を収容する長孔３０２を開口させているが、長孔３０２は、本体部１０５の小屋裏空気排出路１２４の外部側開口部近傍位置において、屋根材１３０の表面に開口部を向けた状態で開口させる配置で形成してもよい。この構成を採用することで、長孔３０２とツマミ３００Ｃとの隙間部分からの風雨や異物の進入リスクをさらに低減させることができる点で有利である。
【００２９】
また、本実施形態においては、スライドレバー３００の挿通先端部をスライド板２０６に係合片２０６Ａに連結させているが、熱感知形状記憶合金および通常の鋼材からなる付勢部材２０５，２０７のいずれかを直接伸縮操作することができればよい。すなわち、熱感知形状記憶合金および通常の鋼材からなる付勢部材２０５，２０７のいずれかの位置に直接スライドレバー３００の係合爪３００Ｂを係合させる形態を採用することもできる。
【００３０】
また、本実施形態においては、通気制御装置１００を建築物の屋根の頂上部分(棟部分)に配設した形態について具体的に説明しているが、本願発明にかかる通気制御装置１００は、建築物の屋根の頂上部分(棟部分)以外の箇所についても配設することができる。通気制御装置１００の他の設置箇所としては、棟部分の有無にかかわらず建築物の屋根頂上付近における外壁面部分や、下屋と外壁面とが交差する部分を例示することができる。
下屋と外壁面とが交差する部分に通気制御装置１００を設置した場合においては、建築物の壁面構成部材の内面と内壁材との間に形成される通気空間が建築物内空気排出路になる。
以上に説明した位置に配設された通気制御装置１００に対しても、実施形態で説明したスライドレバー３００を適用することができるのはもちろんである。
【００３１】
また、本実施の形態においては、通気制御モジュール２００を小屋裏空気排出路１２４のみに配設されている形態について説明しているが、屋根部空気流通層１３４にも通気制御モジュール２００を配設する形態とすることも可能である。この形態によれば、小屋裏空気排出路１２４の通気制御だけでなく、屋根部空気流通層１３４の通気制御も可能になるため、よりきめ細かく建築物の通気を制御することができるためさらに好適である。
【符号の説明】
【００３２】
１００  通気制御装置
１０２  屋根部
１０５  本体部
１０７  開口部
１２２  屋根部空気排出路
１２４  小屋裏空気排出路
１３０  屋根材
１３２  断熱材
１３４  屋根部空気流通層
１４０  小屋裏空間
１５０  異物侵入防止ネット
１７０  誘導板
１８０  結露水分配具
１９０  排水用空間
２００  通気制御モジュール
２０２  通気孔
２０４  固定板（固定スリット体）
２０４Ａ、２０４Ｂ、２０６Ａ  係合片
２０６  スライド板（移動スリット体）
２０８  スライド通気孔
３００  スライドレバー
３００Ａ  本体部
３００Ｂ  係合爪
３００Ｃ  ツマミ
３０２  長孔
【図１】
2011220027.tif 000003
【図２】
2011220027.tif 000004
【図３】
2011220027.tif 000005